(57)【特許請求の範囲】
【請求項１】
軸部と、前記軸部の表面に設けられた突出部とを有し、化粧品の塗布に用いる化粧施術部と、
対向電極と、導電性高分子と、前記対向電極と前記導電性高分子との間に配設された電解質とを有しており、前記対向電極間に電位を与えることにより長手方向に伸縮振動する導電性高分子アクチュエータとを有し、
前記導電性高分子アクチュエータを前記軸部内に一体的に配設し、
前記導電性高分子アクチュエータの伸縮振動に伴い、前記突出部が前記導電性高分子アクチュエータの伸縮振動する方向に振動動作を行うよう構成したことを特徴とする化粧用具。
【請求項２】
前記導電性高分子アクチュエータは、前記導電性高分子と前記対向電極との間でプラス電位とマイナス電位を所定の周期で変化させる駆動回路により駆動させることを特徴とする請求項１記載の化粧用具。
【請求項３】
軸部と、前記軸部の表面に設けられた突出部とを有し、化粧品の塗布に用いる化粧施術部と、
一対の導電性高分子膜と、前記導電性高分子膜の間に配設された固体電解質成形体とを有しており、前記導電性高分子膜間に電位を与えることにより湾曲する導電性高分子アクチュエータとを有し、
前記導電性高分子アクチュエータを前記軸部内に一体的に配設し、
前記導電性高分子アクチュエータの湾曲動作に伴い、前記化粧施術部を湾曲するよう構成したことを特徴とする化粧用具。
【請求項４】
前記導電性高分子アクチュエータは、一対の前記導電性高分子膜に対して所定のタイミングで電圧を印加する駆動回路により駆動させることを特徴とする請求項３記載の化粧用具。
【発明の詳細な説明】
【技術分野】
【０００１】
本発明は化粧用具に係り、特に化粧動作を行う化粧施術部が電動で駆動する化粧用具に関する。
【背景技術】
【０００２】
化粧を行う際に使用する化粧用具として種々のものがあるが、その一つしてマスカラを塗布する際に使用するマスカラ塗布具がある。マスカラは、睫毛を濃く、長く、またカールさせるものである。
【０００３】
このマスカラを収納するマスカラ容器は、マスカラを収納する容器本体と、マスカラ塗布具（マスカラブラシ）が取り付けられた蓋体とにより構成されている。マスカラ塗布時には、マスカラの施術者は蓋体を容器本体から取り外すことにより、容器本体からマスカラが付着したマスカラ塗布具を引き抜き、蓋体を操作しながらマスカラを睫毛に塗布（施術）する。
【０００４】
この睫毛にマスカラを塗布する処理は、かなり面倒な処理である。このため、従来からマスカラ塗布具を駆動装置（モータや振動子等）で回転させたり振動させたりすることにより、マスカラの塗布を容易に行えるように構成された電動マスカラが提案されている（特許文献１参照）。
【先行技術文献】
【特許文献】
【０００５】
【特許文献１】特開２０１１−０４５５２９号公報
【発明の概要】
【発明が解決しようとする課題】
【０００６】
しかしながら、従来の電動マスカラでは駆動装置としてモータや振動子を用いていたため重くなり、使用性が悪いという問題点があった。また、モータや振動子は駆動時に大きな音を発生させるため、この音がうるさいという問題点もあった。
【０００７】
また、振動タイプの電動マスカラでは、駆動装置と化粧施術部（ブラシ部分）が離れており、化粧施術部は伝達される振動により間接的に振動する構成であった。このため、化粧施術部が十分に振動せず、睫毛を確実にセパレートすることができず、ボリューム感を出すことができなかった。また、回転タイプの電動マスカラにおいても、化粧施術部が単に回転するだけの構成であったため、やはり睫毛を確実にセパレートすることができず、ボリューム感を出すことができなかった。
【０００８】
本発明は上記の点に鑑みてなされたものであり、静かで滑らかな動作を実現できると共に化粧施術部自体を駆動しうる化粧用具を提供することを目的とする。
【課題を解決するための手段】
【０００９】
上記の課題は、第１の観点からは、
軸部と、前記軸部の表面に設けられた突出部とを有し、化粧品の塗布に用いる化粧施術部と、
対向電極と、導電性高分子と、前記対向電極と前記導電性高分子との間に配設された電解質とを有しており、前記対向電極間に電位を与えることにより長手方向に伸縮振動する導電性高分子アクチュエータとを有し、
前記導電性高分子アクチュエータを前記軸部内に一体的に配設し、
前記導電性高分子アクチュエータの伸縮振動に伴い、前記突出部が前記導電性高分子アクチュエータの伸縮振動する方向に振動動作を行うよう構成したことを特徴とする化粧用具により解決することができる。
【発明の効果】
【００１０】
開示の化粧用具によれば、化粧施術部を滑らかに動作できると共に、軽量化及び静粛性の向上を図ることができる。
【図面の簡単な説明】
【００１１】
【図１】図１は本発明の第１実施形態であるマスカラ塗布具（化粧用具）を説明するための図であり、（Ａ）は外観図、（Ｂ）は断面図である。
【図２】図２は、本発明の第１実施形態である化粧用具を適用したマスカラ容器を示す半断面図である。
【図３】図３は、第１実施形態であるマスカラ塗布具に組み込まれたアクチュエータの動作原理を説明するための図である。
【図４】図４は本発明の第２実施形態であるマスカラ塗布具（化粧用具）を説明するための図であり、（Ａ）は外観図、（Ｂ）は駆動前の断面図、（Ｃ）は駆動時における断面図である。
【図５】図５は、本発明の第２実施形態であるマスカラ塗布具に組み込まれたアクチュエータの動作原理を説明するための図である。
【図６】図６は本発明の第３実施形態であるマスカラ塗布具（化粧用具）の断面図である。
【図７】図７は、本発明の第１実施形態であるマスカラ塗布具の使用感に関する実験結果を示す図である。
【図８】図８は、本発明の第１実施形態であるマスカラ塗布具の静粛性に関する実験結果を示す図である。
【発明を実施するための形態】
【００１２】
次に、本発明の実施の形態について図面と共に説明する。
【００１３】
図１及び図２は、本発明の第１実施形態である化粧用具であるマスカラ塗布具を説明するための図である。図１はマスカラ塗布具１０Ａを説明するための図であり、図２はマスカラ塗布具１０Ａを適用したマスカラ容器２０を示す図である。
【００１４】
先ず、図２を用いてマスカラ容器２０について説明する。マスカラ容器２０は、大略するとマスカラ塗布具１０Ａ、容器本体２１、蓋体２２、及びしごき部材２４等により構成されている。
【００１５】
容器本体２１は、内部にマスカラ（図示せず）が充填される容器である。この容器本体２１の上部には、マスカラを取り出すための開口部が形成されている。この開口部は、容器本体２１に蓋体２２が装着されることにより閉蓋される。
【００１６】
マスカラ塗布具１０Ａは、請求項に記載の化粧施術部に相当するものである。このマスカラ塗布具１０Ａは、蓋体２２に配設されている。また、マスカラ塗布具１０Ａは、蓋体２２を容器本体２１に装着すると突出部１３がマスカラに浸漬された状態となる。なお、マスカラ塗布具１０Ａの詳細については、説明の便宜上後述するものとする。
【００１７】
しごき部材２４は、容器本体２１の開口部に装着されている。このしごき部材２４は弾性体により構成されており、蓋体２２を容器本体２１から取り外す際、マスカラ塗布具１０Ａ（突出部１３）に付着したマスカラをしごくのに使用される。このしごき部材２４により、マスカラ塗布具１０Ａに含ませるマスカラの量を適度に調整することができる。
【００１８】
また、蓋体２２の内部には、マスカラ塗布具１０Ａに内設されたアクチュエー１５Ａを駆動するための各種の電気部品が内設されている。具体的には、蓋体２２の内部には、電池２５、スイッチ２６、駆動回路２７等が配設されている。
【００１９】
電池２５はアクチュエータ１５Ａの電源となるものであり、ボタン電池が使用されている。なお、本実施形態では蓋体２２の小型化を図るためボタン電池を使用しているが、アクチュエータ１５Ａの電源は必ずしもボタン電池に限定されるものではなく、他の小型電池を用いることも可能である。
【００２０】
スイッチ２６は、アクチュエータ１５ＡのＯＮ／ＯＦＦを行うためのものである。このスイッチ２６はスイッチノブ２６ａを有し、このスイッチノブ２６ａを操作することにより、アクチュエータ１５ＡのＯＮ／ＯＦＦを行う。
【００２１】
駆動回路２７は、アクチュエータ１５Ａの駆動制御を行う電子回路である。この駆動回路２７及び前記のスイッチ２６は基板２８に配設されており、この基板２８は蓋体２２に固定されている。また、蓋体２２に取り付けられた軸部１２は中空軸とされており、この軸部１２の内部には配線２９が配設されている。この配線２９は、マスカラ塗布具１０Ａ内のアクチュエータ１５Ａと駆動回路２７とを電気的に接続する。
【００２２】
本実施形態に係るマスカラ塗布具１０Ａは、このような容器本体２１と蓋体２２とを有するマスカラ容器２０に適用することができる。なお、本実施形態に係るマスカラ塗布具１０Ａは、必ずしもマスカラ容器２０と一体化する必要はなく、美容具としてマスカラ容器と別箇な構成とすることも可能である。
【００２３】
次に、マスカラ塗布具１０Ａについて説明する。
【００２４】
マスカラ塗布具１０Ａは、軸部１２、突出部１３、及びアクチュエータ１５Ａ等とにより構成されている。軸部１２と突出部１３は、樹脂を一体成型することにより形成されている。樹脂材料としては熱可塑性樹脂を用いることが望ましく、例えばエラストマー、ポリエチレン、ポリプロピレン、ポリスチレン、ポリエチレンテレフタレート、ポリブチレンテレフタレート、ポリカーボネート、ポリアセテート等を用いることができる。
【００２５】
軸部１２は、円柱形状を有している。突出部１３は、軸部１２の外周表面から外側に向けて突出するよう形成されている。この突出部１３は、軸部１２から外側に向けて多数突出するよう形成されており、よってこの多数の突出部１３はブラシとして機能する。
【００２６】
このブラシとして機能する多数の突出部１３は、蓋体２２が容器本体２１に装着された状態では、容器本体２１に収納されたマスカラ内に浸漬された状態となっている。マスカラを睫毛に塗布する際、施術者は蓋体２２を容器本体２１から取り外すことにより、容器本体２１からマスカラが付着したマスカラ塗布具１０Ａを引き抜く。この状態において、ブラシとして機能する多数の突出部１３には、マスカラが付着した状態となっている。
【００２７】
そして施術者は、蓋体２２を操作することにより、突出部１３に付着したマスカラを睫毛に塗布する。この際、施術者が直接に蓋体２２を操作してマスカラを塗布する方法ではその処理が面倒となり、またモータ等を用いた電動マスカラでは重くモータ音が大きい等の問題点があったことは前述した通りである。
【００２８】
本実施形態に係るマスカラ塗布具１０Ａは、突出部１３が形成された軸部１２の内部にアクチュエータ１５Ａが一体的に配設された構成とされている。このように、マスカラ塗布具１０Ａとアクチュエータ１５Ａとが一体化することにより、マスカラ塗布具１０Ａ自体にアクチュエータとしての機能を持たせることができる。
【００２９】
また本実施形態では、アクチュエータとして人工筋肉を用いたことを特徴としている。人工筋肉には、種々の形態のものが提案されているが、本実施形態では比較的低電力低電圧（例えば、1.5V程度）で駆動すると共に発生力が大きく、かつ構造体が樹脂であるため軽量である導電性高分子アクチュエータを適用した。
【００３０】
なお、人工筋肉としては、導電性高分子アクチュエータの他にも誘電エラストマーを利用した人口筋肉、圧電素子を利用した人口筋肉、形状合金を利用した人口筋肉等、種々のものがあるが、化粧用具に適用される人工筋肉としては、上記のように低電圧駆動で一定の駆動力を発揮でき、かつ軽量である必要がある。よって、この条件を満たす人口筋肉であれば、導電性高分子アクチュエータ以外の人口筋肉を用いることも可能である。
【００３１】
導電性高分子アクチュエータであるアクチュエータ１５Ａは、図１（Ｂ）に示すように、導電性高分子１６Ａ、電解質１７、及び対向電極１８Ａ，１８Ｂ等を有した構成とされている。このアクチュエータ１５Ａは、軸部１２の内部に、例えばインサート成形されることにより一体的に配設される。
【００３２】
次に、アクチュエータ１５Ａの動作原理について、図１に加えて図３を用いて説明する。図３は、アクチュエータ１５Ａ（導電性高分子アクチュエータ）の基本構成図である。各図に示すように、アクチュエータ１５Ａは一対の対向電極１８Ａ，１８Ｂを有し、この一対の対向電極１８Ａ，１８Ｂの中央位置に導電性高分子１６Ａが配設された構成とされている。また、対向電極１８Ａ，１８Ｂと導電性高分子１６Ａとの間には、電解質１７が配設されている。更に、対向電極１８Ａ，１８Ｂは、駆動回路２７に接続された構成とされている。
【００３３】
導電性高分子１６Ａは、例えば導電性ポリマーであるポリピロールを用いることができる。この導電性高分子１６Ａは、導電性を有すると共に、イオンをドーパントとして取り込むことが可能な性質を有している。
【００３４】
電解質１７は特に限定されるものではないが、例えばピロール，チオフェン等を用いることができる。この電解質１７は、多孔質とされた樹脂材に含浸された上で、導電性高分子１６Ａと対向電極１８Ａ，１８Ｂとの間に配設される。対向電極１８Ａ，１８Ｂは、金属電極である。この対向電極１８Ａ，１８Ｂの材料としては、例えば白金，金，銅等を用いることができる。
【００３５】
上記構成とされたアクチュエータ１５Ａにおいて、導電性高分子１６Ａに電圧を印加したときの動作について説明する。導電性高分子１６Ａは導電性を有すると共に、イオンをドーパントとして導入又は離脱が特性を有している。
【００３６】
図３（Ａ）は、駆動回路２７により導電性高分子１６Ａをマイナス電位とし、対向電極１８Ａ，１８Ｂをプラス電位となるよう電圧を印加した場合を示している。この場合、電解質１７内のプラスイオンは導電性高分子１６Ａに導入され、これにより導電性高分子１６Ａは伸びる動作を行う。
【００３７】
これに対し、図３（Ｂ）は、駆動回路２７により導電性高分子１６Ａをプラス電位とし、対向電極１８Ａ，１８Ｂをマイナス電位となるよう電圧を印加した場合を示している。この場合、導電性高分子１６Ａのプラスイオンは導電性高分子１６Ａから離脱し、電解質１７内に導入するため、導電性高分子１６Ａは縮む動作を行う。
【００３８】
この現象を利用し、駆動回路２７により導電性高分子１６Ａと対向電極１８Ａ，１８Ｂとの間でプラス電位／マイナス電位を所定の周期で変化させて印加することにより、アクチュエータ１５Ａは伸縮振動（図中左右方向の振動）を行う。この伸縮振動動作により、突出部１３も伸縮振動する。
【００３９】
前記のようにアクチュエータ１５Ａはマスカラ塗布具１０Ａの軸部１２の内部に一体的に配設された構成とされている。従って、アクチュエータ１５Ａが伸縮振動を行うことにより軸部１２も伸縮振動を行う。また、軸部１２が伸縮振動を行うことにより、軸部１２に配設された個々の突出部１３も図中左右方向に振動動作を行う。
【００４０】
このようにマスカラ塗布具１０Ａが伸縮振動することにより突出部１３が図中左右方向に振動動作するため、施術者が蓋体２２を把持しマスカラ塗布具を操作する場合に比べ、容易かつ確実に対してマスカラを睫毛に塗布することができる。また、睫毛にボリューム感を持たせることができ、睫毛を確実にセパレートすることができ、かつ、いわゆるダマやムラを防ぎ良好な仕上がりを実現することができる。
【００４１】
また、本実施形態ではアクチュエータ１５Ａとして導電性高分子アクチュエータ（人工筋肉）を用いている。前記のように導電性高分子アクチュエータは、電圧印加した際に導電性高分子１６Ａにイオンが導入又は離脱を行うことにより伸縮動作を行うため、モータや振動子と異なり伸縮動作時に音が発生することはない。よって本実施形態に係るマスカラ塗布具１０Ａを用いることにより、静粛な状態でマスカラの塗布を行うことができる。
【００４２】
また、アクチュエータ１５Ａは導電性高分子１６Ａ、電解質１７、及び対向電極１８Ａ，１８Ｂからなる簡単な構成であり、また各構成要素は軽量なものである。このため、アクチュエータ１５Ａの軽量化を図ることができ、マスカラ塗布具１０Ａの操作性及び使用性を高めることができる。
【００４３】
また、導電性高分子アクチュエータであるアクチュエータ１５Ａは、いわゆるソフトアクチュエータであり、その動作はモータや振動子による機械的振動に比べて滑らかな動作となる。よって、これによってもマスカラ塗布具１０Ａの使用感を向上させることができる。
【００４４】
更に、アクチュエータ１５Ａは導電性高分子アクチュエータであるため、駆動回路２７によりアクチュエータ１５Ａに印加する電位を制御することにより、収縮状態から伸張状態の任意の状態においてアクチュエータ１５Ａを停止させることが可能である。また前記のように、マスカラ塗布具１０Ａの軸部１２に配設された個々の突出部１３は、アクチュエータ１５Ａにより図中左右方向に振動動作を行う。
【００４５】
このため、軸部１２が伸張した状態でアクチュエータ１５Ａを停止した場合、隣接する突出部１３の間の長さ（ピッチ）は長くなる。逆に、軸部１２が収縮した状態でアクチュエータ１５Ａを停止した場合、隣接する突出部１３の間の長さ（ピッチ）は短くなる。よって、人によって異なる睫毛に合わせて突出部１３のピッチを調整することが可能となり、これによってもマスカラ塗布具１０Ａの操作性及び使用性を高めることができる。
図７及び図８は、本発明者が実施した実験結果を示している。本発明者は、第１実施形態に係るマスカラ塗布具１０Ａを複数人のモニターに使用してもらい、その使用性及び静粛性に関する使用結果をアンケート調査する実験を行った。
【００４６】
モニターとしては２０代〜４０代の女性２０人に参加してもらい、各モニターにマスカラ塗布具１０Ａを設けたマスカラ容器２０を使用してマスカラの塗布を行ってもらった。そして、使用性に関するアンケートは、（Ａ）セパレート効果と（Ｂ）ボリューム効果を項目として挙げ、「とてもある」、「ややある」、「どちらともいえない」、「ややない」、「全くない」の５つの回答から選定してもらう形式を取った。
【００４７】
また、静粛性に関するアンケートは、（Ｃ）把持部の振動性と（Ｂ）騒音性を項目として挙げ、「全く気にならない」、「やや気にならない」、「どちらともいえない」、「やや気になる」、「とても気になる」の５つの回答から選定してもらう形式を取った。
【００４８】
図７に示す「（Ａ）セパレート効果」に関する実験結果では、２０人のモニターの内、１２人がセパレート効果が「とてもある」と回答し、８人がセパレート効果が「ややある」と回答し、「どちらともいえない」、「ややない」、及び「全くない」との回答はなかった。即ち、本実施形態に係るマスカラ塗布具１０Ａを用いた場合、１００パーセントのモニターがセパレート効果を実感していることなる。
【００４９】
また、「（Ｂ）ボリューム効果」に関する実験結果では、２０人のモニターの内、１４人がボリューム効果が「とてもある」と回答し、６人がボリューム効果が「ややある」と回答し、「どちらともいえない」、「ややない」、及び「全くない」との回答はなかった。よって、ボリューム効果に対しても１００パーセントのモニターがその効果を実感していることなる。
【００５０】
従って図７に示す実験結果より、導電性高分子アクチュエータをアクチュエータ１５Ａとして使用するマスカラ塗布具１０Ａを用いることにより、マスカラ塗布時にセパレート効果及びボリューム効果を得ることができることが実証された。
【００５１】
図８に示す「（Ｃ）把持部の振動性」に関する実験結果では、２０人のモニターの内、９人が振動について「全く気にならない」と回答し、８人がが「やや気にならない」と回答し、「どちらともいえない」、「やや気になる」、及び「とても気になる」との回答は合計で３人であった。よって、本実施形態に係るマスカラ塗布具１０Ａを用いた場合、８０パーセント以上のモニターが把持部の振動を不快としていないことになる。
【００５２】
また、「（Ｄ）騒音性」に関する実験結果では、２０人のモニターの内、７人が騒音について「全く気にならない」と回答し、１０人がが「やや気にならない」と回答し、「どちらともいえない」、「やや気になる」、及び「とても気になる」との回答は合計で３人であった。よって、本実施形態に係るマスカラ塗布具１０Ａを用いた場合、騒音に対しても８０パーセント以上のモニターが不快としていないことになる。
【００５３】
従って図８に示す実験結果より、導電性高分子アクチュエータをアクチュエータ１５Ａとして使用するマスカラ塗布具１０Ａは、把持部の振動及び騒音が少なく静粛性が高いことが実証された。
【００５４】
次に、本発明の第２実施形態について説明する。
【００５５】
図４及び図５は、本発明の第２実施形態である化粧用具を説明するための図である。本実施形態についても、化粧用具としてマスカラ塗布具を例に挙げて説明する。
【００５６】
図４は本発明の第２実施形態であるマスカラ塗布具１０Ｂ（化粧用具）を説明するための図であり、図５はマスカラ塗布具１０Ｂに組み込まれたアクチュエータ１５Ｂの基本構成図である。なお、図４及び図５において、図１乃至図３を用いて説明した構成と対応する構成については、同一符号を付してその説明は省略する。
【００５７】
本実施形態に係るマスカラ塗布具１０Ｂは、アクチュエータ１５Ｂがたわみを発生させるよう構成したことを特徴としている。このアクチュエータ１５Ｂは、図４（Ｂ）に示すように、電極として機能する一対の導電性高分子膜３０Ａ，３０Ｂの間に、固体電解質成形体３１を挟んだ構造とされている。
【００５８】
先ず図５を用いて、本実施形態のアクチュエータ１５Ｂの動作について説明する。図５（Ａ）に示すように、導電性高分子膜３０Ａ，３０Ｂに電圧を印加していない状態では、アクチュエータ１５Ｂにたわみは発生していない。
【００５９】
これに対し、図５（Ｂ）に示すように、導電性高分子膜３０Ａをマイナス電位とすると共に導電性高分子膜３０Ｂをプラス電位とする電圧を印加すると、導電性高分子膜３０Ａからマイナスイオンが離脱し、導電性高分子膜３０Ｂにマイナスイオンが導入される現象が発生する。
【００６０】
これにより、導電性高分子膜３０Ａではマイナスイオンが離脱することにより収縮が発生し、逆に導電性高分子膜３０Ｂではマイナスイオンが導入されることにより伸長が発生する。よって、アクチュエータ１５Ｂ全体では、図５（Ｂ）に示されるように、アクチュエータ１５Ｂは図中上方向に向けて湾曲した状態となる。
【００６１】
また、図５（Ｃ）に示すように、導電性高分子膜３０Ａをプラス電位とすると共に導電性高分子膜３０Ｂをマイナス電位とする電圧を印加すると、導電性高分子膜３０Ｂからはマイナスイオンが離脱し、導電性高分子膜３０Ａではマイナスイオンが導入される現象が発生する。
【００６２】
これにより、導電性高分子膜３０Ａではマイナスイオンが導入されることにより伸長が発生し、導電性高分子膜３０Ｂではマイナスイオンが離脱することにより収縮が発生する。よって、アクチュエータ１５Ｂ全体では、図５（Ｃ）に示されるように、アクチュエータ１５Ｂは図中下方向に向けて湾曲した状態となる。
【００６３】
上記構成とされたアクチュエータ１５Ｂは、図４（Ｂ）に示すように、軸部１２の内部に、例えばインサート成形されることにより一体的に配設される。また、導電性高分子膜３０Ａ，３０Ｂは、駆動回路２７に接続される。
【００６４】
この駆動回路２７は、導電性高分子膜３０Ａ，３０Ｂに対して所定のタイミングで電圧を印加する。この際、駆動回路２７は各導電性高分子膜３０Ａ，３０Ｂに印加する各電位（プラス電位，マイナス電位）を切り替え可能な構成とされている。
【００６５】
よって、駆動回路２７により導電性高分子膜３０Ａ，３０Ｂに印加する電圧の極性を変化させることにより、図５（Ｃ）に示すように、マスカラ塗布具１０Ｂ（化粧施術部）を図中矢印Ａ１，Ａ２方向に湾曲させることが可能となる（図５（Ｃ）では、Ａ１方向に湾曲した状態を示している）。
【００６６】
このように本実施形態では、マスカラ塗布具１０Ｂを図４（Ａ），（Ｂ）に示す直線状と、図４（Ｃ）に示す湾曲状態とすることが可能となる。また、湾曲の度合いは、導電性高分子膜３０Ａ，３０Ｂに印加する電圧の強さで調整することができる。よって、睫毛に個人差があっても、各人に対応した湾曲形状（例えば、睫毛の生え際のカーブに合わせた湾曲形状）のマスカラ塗布具１０Ｂを実現することが可能となる。
【００６７】
また、駆動回路２７により導電性高分子膜３０Ａ，３０Ｂに印加する電圧制御を行うことにより、マスカラの睫毛への塗布を行っている途中にアクチュエータ１５Ｂを駆動してマスカラ塗布具１０Ｂを湾曲させることも可能となる。
【００６８】
これにより、睫毛を確実にセパレートさせることができると共に、ボリュームを出すことが可能となる。また、本実施形態においてもアクチュエータ１５Ｂとして導電性高分子アクチュエータを用いているため、軽量化及び静粛性の向上を図るこができると共に、操作性及び使用性を高めることができる。
【００６９】
次に、本発明の第３実施形態について説明する。
【００７０】
図６は、本発明の第３実施形態である化粧用具を説明するための図である。本実施形態についても、化粧用具としてマスカラ塗布具を例に挙げて説明する。なお、図６において、図１乃至図５を用いて説明した構成と対応する構成については、同一符号を付してその説明は省略する。
【００７１】
前記した第１及び第２実施形態に係るマスカラ塗布具１０Ａ，１０Ｂでは、アクチュエータ１５Ａ，１５Ｂとして導電性高分子アクチュエータを用いた。これに対して本実施形態では、形状記憶合金を駆動源とするアクチュエータ１５Ｃを用いたことを特徴としている。このアクチュエータ１５Ｃは、前記の第１及び第２実施形態と同様に、マスカラ塗布具１０Ｃの軸部１２に一体的に設けられている。
【００７２】
アクチュエータ１５Ｃは、繊維状の形状記憶合金を束ねて線材状にし、これをコイル状に巻回した構造を有している。このアクチュエータ１５Ｃは、ヒータ４０に巻回された構成とされている。
【００７３】
ヒータ４０は駆動回路２７に接続されており、駆動回路２７から給電されることにより加熱する。駆動回路２７によりヒータ４０に給電されるとヒータ４０は加熱し、これによりアクチュエータ１５Ｃも加熱される。また、給電を停止するとヒータ４０の温度は低下し、これに伴いアクチュエータ１５Ｃの温度も低下する。
【００７４】
アクチュエータ１５Ｃを構成する形状記憶合金は、温度が上昇することにより伸張し、温度が低下することにより収縮する特性を有している。よって、ヒータ４０に通電してアクチュエータ１５Ｃを加熱することによりアクチュエータ１５Ｃは伸張し、ヒータ４０に対する通電を停止し温度が低下することによりアクチュエータ１５Ｃは収縮する。このように、アクチュエータ１５Ｃが伸縮振動を行うことにより、軸部１２も伸縮振動を行い、軸部１２に配設された個々の突出部１３も図中左右方向に振動動作を行う。
【００７５】
よって第１実施形態に係るマスカラ塗布具１０Ａと同様に本実施形態に係るマスカラ塗布具１０Ｃによっても、睫毛にボリューム感を持たせることができると共にダマやムラを防ぎ良好な仕上がりを実現できる。また、マスカラ塗布具１０Ｃによっても静粛で滑らかな動作を実現できると共に軽量化を図ることができるため、操作性及び使用性の向上も図ることができる。
【００７６】
以上、本発明の好ましい実施形態について詳述したが、本発明は上記した特定の実施形態に限定されるものではなく、特許請求の範囲に記載された本発明の要旨の範囲内において、種々の変形・変更が可能なものである。
【符号の説明】
【００７７】
１０Ａ，１０Ｂ，１０Ｃ  マスカラ塗布具
１２  軸部
１３  突出部
１５Ａ，１５Ｂ，１５Ｃ  アクチュエータ
１６Ａ，１６Ｂ  導電性高分子
１７  電解質
１８Ａ，１８Ｂ  対向電極
２０  マスカラ容器
２１  容器本体
２２  蓋体
２４  しごき部材
２５  電池
２６  スイッチ
２７  駆動回路
２８  基板
３０Ａ，３０Ｂ  導電性高分子膜
３１  固体電解質成形体
４０  ヒータ
【図１】
0005484535.tif 000002
【図２】
0005484535.tif 000003
【図３】
0005484535.tif 000004
【図４】
0005484535.tif 000005
【図５】
0005484535.tif 000006
【図６】
0005484535.tif 000007
【図７】
0005484535.tif 000008
【図８】
0005484535.tif 000009